(57)【要約】【課題】使用前は折り畳んで保存でき、使用時には容易に組立ができ、さらに内容物由来の油や水が紙容器の四隅から漏れ難いテイクアウト用紙容器を提供することにある。【解決手段】蓋部と収納本体部を有するテイクアウト用紙容器において、該収納本体部が長方形の底面板の両側の長辺に所定形状の側面板Ａが罫線を介して連設され、両側の短辺に所定形状の側面板Ｂが罫線を介して連設され、前記底面板の四隅の側面板Ａと側面板Ｂとの間にそれぞれ斜め罫線で区画された三角形状の舌片Ａと舌片Ｂが罫線を介して連設されてなるブランクからなると共に、四隅の舌片Ａと舌片Ｂがそれぞれ斜め罫線を介して２枚に折り重ねられた後に側面板Ｂの外面側に折り返されて接着され、製函されている。【選択図】図１
2008120453.tif 000002
【特許請求の範囲】
【請求項１】
蓋部と収納本体部を有するテイクアウト用紙容器において、該収納本体部が少なくとも、長方形の底面板の両側の長辺にそれぞれ、底面板から外側方向に向けて順に、底面板側が底面板の長辺と同一長さで、底面板の長辺と直角方向の幅がＸ1である部分と底面板の長辺より短い長さで、底面板の長辺と直角方向の幅がＸ2である部分を有する凸形状の側面板Ａが罫線を介して連設され、底面板の両側の短辺にそれぞれ、底面板から外側方向に向けて順に、底面板側が底面板の短辺と同一長さで、底面板の短辺と直角方向の幅がＹ1である部分と底面板側が底面板の短辺より大きい長さで、底面板の短辺と直角方向の幅がＹ2の部分を有する末広がり形状の側面板Ｂ、フラップが罫線を介して順次連設され、二枚の側面板Ａの幅がＸ1である両側部分の周縁にそれぞれ三角形状の舌片Ａが罫線を介して連設され、二枚の側面板Ｂの幅がＹ1である両側部分の周縁にそれぞれ三角形状の舌片Ｂが罫線を介して連設され、さらに、四ケ所の舌片Ａと舌片Ｂの間にそれぞれ斜め罫線が設けられているブランクからなると共に、前記四ケ所の舌片Ａと舌片Ｂがそれぞれ斜め罫線を介して２枚に折り重ねられた後に側面板Ｂの外面側に折り返されて接着され、製函されていることを特徴とするテイクアウト用紙容器。
【請求項２】
前記Ｘ1、Ｘ2、Ｙ1、Ｙ2の関係がＸ1≧Ｙ1、Ｘ2≧Ｙ2、Ｘ1＋Ｘ2≧Ｙ1＋Ｙ2であることを特徴とする請求項１記載のテイクアウト用紙容器。
【請求項３】
前記斜め罫線と、前記舌片Ａと側面板Ａの間に介在する罫線との角度（β）がβ＞４５゜で、前記斜め罫線と、前記舌片Ｂと側面板Ｂの間に介在する罫線との角度（α）がα＜４５゜で、前記舌片Ｂと側面板Ｂの間に介在する罫線と、側面板Ｂと底面板の間に介在する罫線との角度（γ）がγ≧９０゜で、前記舌片Ａと側面板Ａの間に介在する罫線と、側面板Ａと底面板の間に介在する罫線との角度（δ）がδ≧９０゜であることを特徴とする請求項１又は請求項２記載のテイクアウト用紙容器。
【発明の詳細な説明】
【技術分野】
【０００１】
本発明は、各種食品を中に入れて持ち帰る為の紙容器に関するものである。
【背景技術】
【０００２】
コロッケやカツなどの揚げ物、焼きソバ、たこ焼き、お好み焼き及びピザなどの店頭で購入した調理済み食品を持ち帰る時に使用するテイクアウト用紙容器は、使用前には嵩張らず、使用時には容易に組み立てる機能を有することが求められる。その形態も種々のものがあり、例えば、収納本体部に蓋部がついているワンピース形態のものや、収納本体部と蓋部が別別になっているツーピース形態のものがある。図３（ａ）は、従来のツーピース形態のテイクアウト用紙容器の斜視図であり、テイクアウト用紙容器（１′）は蓋部（２′）と収納本体部（３′）からなっており、図３（ｂ）は（ａ）の収納本体部（３′）に使用するブランクの平面図であり、ブランク（６０）は底面板（６１）の両側の長辺に側面板（６２、６３）がそれぞれ罫線（７０、７１）を介して連設され、両側の短辺に側面板（６４、６５）がそれぞれ罫線（７２、７３）を介して連設され、前記側面板（６４、６５）のそれぞれの両側の短辺にそれぞれ罫線（７０、７１）を介して舌片（６６、６７）及び舌片（６８、６９）が連設されており、さらに、側面板（６４、６５）にはそれぞれ紙容器を折り畳むための折り畳み用罫線（８０、８１）及び折り畳み用罫線（８２、８３）が設けられている。前記テイクアウト用紙容器（１′）は、図３（ａ）に示すように、その収納本体部（３′）の隅が舌片（６８、６９）を折り返して側面板（６２、６３）の内表面に接着した状態（図示していないが、舌片（６６、６７）も折り返して側面板（６２、６３）の内表面に接着している。）で製函されており、この形状の場合は油分を多く含んだ内容物や水分を多く含んだ内容物を収納した時に紙容器の四隅から油や水が漏れ出る欠点を有していた。以下に先行特許文献を示す。
【特許文献１】実開昭６１−１７８３１６号公報
【発明の開示】
【発明が解決しようとする課題】
【０００３】
本発明の課題は、使用前は折り畳んで保存でき、使用時には容易に組立ができ、さらに内容物由来の油や水が紙容器の四隅から漏れ難いテイクアウト用紙容器を提供することにある。
【課題を解決するための手段】
【０００４】
本発明の請求項１に係る発明は、蓋部と収納本体部を有するテイクアウト用紙容器において、該収納本体部が少なくとも、長方形の底面板の両側の長辺にそれぞれ、底面板から外側方向に向けて順に、底面板側が底面板の長辺と同一長さで、底面板の長辺と直角方向の幅がＸ1である部分と底面板の長辺より短い長さで、底面板の長辺と直角方向の幅がＸ2である部分を有する凸形状の側面板Ａが罫線を介して連設され、底面板の両側の短辺にそれぞれ、底面板から外側方向に向けて順に、底面板側が底面板の短辺と同一長さで、底面板の短辺と直角方向の幅がＹ1である部分と底面板側が底面板の短辺より大きい長さで、底面板の短辺と直角方向の幅がＹ2の部分を有する末広がり形状の側面板Ｂ、フラップが罫線を介して順次連設され、二枚の側面板Ａの幅がＸ1である両側部分の周縁にそれぞれ三角形状の舌片Ａが罫線を介して連設され、二枚の側面板Ｂの幅がＹ1である両側部分の周縁にそれぞれ三角形状の舌片Ｂが罫線を介して連設され、さらに、四ケ所の舌片Ａと舌片Ｂの間にそれぞれ斜め罫線が設けられているブランクからなると共に、前記四ケ所の舌片Ａと舌片Ｂがそれぞれ斜め罫線を介して２枚に折り重ねられた後に側面板Ｂの外面側に折り返されて接着され、製函されていることを特徴とするテイクアウト用紙容器である。
【０００５】
本発明の請求項２に係る発明は、上記請求項１に係る発明において、前記Ｘ1、Ｘ2、Ｙ1、Ｙ2の関係がＸ1≧Ｙ1、Ｘ2≧Ｙ2、Ｘ1＋Ｘ2≧Ｙ1＋Ｙ2であることを特徴とするテイクアウト用紙容器である。
【０００６】
本発明の請求項３に係る発明は、上記請求項１又は請求項２に係る発明において、前記斜め罫線と、前記舌片Ａと側面板Ａの間に介在する罫線との角度（β）がβ＞４５゜で、前記斜め罫線と、前記舌片Ｂと側面板Ｂの間に介在する罫線との角度（α）がα＜４５゜で、前記舌片Ｂと側面板Ｂの間に介在する罫線と、側面板Ｂと底面板の間に介在する罫線との角度（γ）がγ≧９０゜で、前記舌片Ａと側面板Ａの間に介在する罫線と、側面板Ａと底面板の間に介在する罫線との角度（δ）がδ≧９０゜であることを特徴とするテイクアウト用紙容器である。
【発明の効果】
【０００７】
本発明のテイクアウト用紙容器は、蓋部と収納本体部を有するテイクアウト用紙容器において、該収納本体部が少なくとも、長方形の底面板の両側の長辺にそれぞれ、底面板から外側方向に向けて順に、底面板側が底面板の長辺と同一長さで、底面板の長辺と直角方向の幅がＸ1である部分と底面板の長辺より短い長さで、底面板の長辺と直角方向の幅がＸ2である部分を有する凸形状の側面板Ａが罫線を介して連設され、底面板の両側の短辺にそれぞれ、底面板から外側方向に向けて順に、底面板側が底面板の短辺と同一長さで、底面板の短辺と直角方向の幅がＹ1である部分と底面板側が底面板の短辺より大きい長さで、底面板の短辺と直角方向の幅がＹ2の部分を有する末広がり形状の側面板Ｂ、フラップが罫線を介して順次連設され、二枚の側面板Ａの幅がＸ1である両側部分の周縁にそれぞれ三角形状の舌片Ａが罫線を介して連設され、二枚の側面板Ｂの幅がＹ1である両側部分の周縁にそれぞれ三角形状の舌片Ｂが罫線を介して連設され、さらに、四ケ所の舌片Ａと舌片Ｂの間にそれぞれ斜め罫線が設けられているブランクからなると共に、前記四ケ所の舌片Ａと舌片Ｂがそれぞれ斜め罫線を介して２枚に折り重ねられた後に側面板Ｂの外面側に折り返されて接着され、製函されており、前記Ｘ1、Ｘ2、Ｙ1、Ｙ2の関係がＸ1≧Ｙ1、Ｘ2≧Ｙ2、Ｘ1＋Ｘ2≧Ｙ1＋Ｙ2であり、前記斜め罫線と、前記舌片Ａと側面板Ａの間に介在する罫線との角度（β）がβ＞４５゜で、前記斜め罫線と、前記舌片Ｂと側面板Ｂの間に介在する罫線との角度（α）がα＜４５゜で、前記舌片Ｂと側面板Ｂの間に介在する罫線と、側面板Ｂと底面板の間に介在する罫線との角度（γ）がγ≧９０゜で、前記舌片Ａと側面板Ａの間に介在する罫線と、側面板Ａと底面板の間に介在する罫線との角度（δ）がδ≧９０゜であるので、使用前は折り畳んで保存でき、使用時には容易に組立ができ、さらに内容物由来の油や水が紙容器の四隅から漏れ出ない。
【発明を実施するための最良の形態】
【０００８】
本発明のテイクアウト用紙容器を実施の形態に沿って、以下に説明する。図２（ａ）は本発明のテイクアウト用紙容器の蓋部に使用するブランクの一実施形態を示す平面図であり、ブランク（１０）は、長方形の天面板（１１）の両側の長辺に側面板（１２、１３）がそれぞれ罫線（５８、５９）を介して連設されたものからなっており、（ｂ）は本発明のテイクアウト用紙容器の収納本体部に使用するブランクの一実施形態を示す平面図であり、ブランク（２０）は、長方形の底面板（２１）の一方の長辺に、底面板（２１）から外側方向に向けて順に、底面板（２１）側が底面板（２１）の長辺と同一長さで、底面板（２１）の長辺と直角方向の幅がＸ1である部分と底面板（２１）の長辺より短い長さで、底面板（２１）の長辺と直角方向の幅がＸ2である部分を有する凸形状の側面板Ａ（２２）が罫線（４０）を介して連設され、他方の長辺に、同一形状の側面板Ａ（２３）が罫線（４１）を介して連設され、底面板（２１）の一方も短辺に、底面板（２１）から外側方向に向けて順に、底面板（２１）側が底面板（２１）の短辺と同一長さで、底面板（２１）の短辺と直角方向の幅がＹ1である部分と底面板（２１）側が底面板（２１）の短辺より大きい長さで、底面板（２１）の短辺と直角方向の幅がＹ2の部分を有する末広がり形状の側面板Ｂ（２４）、フラップ（２６）がそれぞれ罫線（４２、４４）を介して順次連設され、他方の短辺に同一形状の側面板Ｂ（２５）、フラップ（２７）がそれぞれ罫線（４３、４５）を介して連設され、前記側面板Ａ（２２、２３）の幅がＸ1である両側部分の周縁にそれぞれ三角形状の舌片Ａ（２８、２９、３０、３１）がそれぞれ罫線（５０、５２、５４、５６）を介して連設され、前記側面板Ｂ（２４、２５）の幅がＹ1である両側部分の周縁に三角形状の舌片Ｂ（３２、３３、３４、３５）がそれぞれ罫線（５１、５３、５５、５７）を介して連設され、前記舌片Ａ（２８、２９、３０、３１）と舌片Ｂ（３２、３３、３４、３５）の間にそれぞれ斜め罫線（４６、４７、４８、４９）が設けられたものからなっており、罫線（５１）と斜め罫線（４６）、罫線（５３）と斜め罫線（４７）、罫線（５５）と斜め罫線（４８）及び罫線（５７）と斜め罫線（４９）との角度（゜）は全てαであり、罫線（５０）と斜め罫線（４６）、罫線（５２）と斜め罫線（４７）、罫線（５４）と斜め罫線（４８）、罫線（５６）と斜め罫線（４９）との角度（゜）は全てβであり、罫線（５１）と罫線（４２）、罫線（５３）と罫線（４２）、罫線（５５）と罫線（４３）及び罫線（５７）と罫線（４３）との角度（゜）は全てγであり、罫線（５０）と罫線（４０）、罫線（５２）と罫線（４１）、罫線（５４）と罫線（４０）及び罫線（５６）と罫線（４１）との角度（゜）は全てδである。
【０００９】
また、前記ブランク（２０）はＸ1、Ｘ2、Ｙ1、Ｙ2の関係がＸ1≧Ｙ1、Ｘ2≧Ｙ2で、さらに、Ｘ1＋Ｘ2≧Ｙ1＋Ｙ2であり、前記α、β、γ、δはそれぞれα＜４５゜、β＞４５゜、γ≧９０゜、δ≧９０゜であるのが好ましく、Ｘ1、Ｘ2、Ｙ1、Ｙ2を上記の如く設定することで、テイクアウト用に適した形状の紙容器が得られ、α、β、γ、δを上記の如く設定することにより、それれぞれの舌片Ａと舌片Ｂを２枚に折り重ねて、側面板Ｂの外面に接着しやすくなる。
【００１０】
なお、前記斜め罫線（４６、４７、４８、４９）は、舌片Ａ及び舌片Ｂをそれぞれ斜め罫線を介して２枚に折り重ね易くするために設けるものであり、ハーフカット形状又はミシン目線形状のいずれでも良い。
【００１１】
図１は本発明のテイクアウト用紙容器の一実施形態を示す斜視図であり、テイクアウト用紙容器（１）は、蓋部（２）と収納本体部（３）とからなっており、蓋部（２）は前記ブランク（１０）を用いて製函されており、収納本体部（３）は前記ブランク（２０）を用いて製函されており、収納本体部（３）の片側の隅は、三角形状の舌片Ａ（２８）と舌片Ｂ（３２）、三角形状の舌片Ａ（２９）と舌片Ｂ（３３）がそれぞれ斜め罫線（４６）及び斜め罫線（４７）を介して内面同士が相対するように２枚に折り重ねられた後に、側面板Ｂ（２４）の外面側に折り返されて接着され、製函されている。図示していないが、反対側の隅も同様に接着され、製函されている。よって、テイクアウト用紙容器（１）の四隅が上記記載のような構造になっているので、内容物由来の油や水が紙容器の四隅から外側に漏れ出すことがない。
【００１２】
本発明のテイクアウト用紙容器の収納本体部に使用する材料としては、例えば、紙基材の片面に耐油性層を積層した積層材料、紙基材に耐油剤を内添した材料、紙基材に接着性樹脂層、紙層を順次積層した積層材料などが使用可能である。前記紙基材に使用する紙としては、坪量２００〜５００ｇ／ｍ2のバージン紙、カード紙、カップ原紙、コートボール紙などの板紙が使用でき、前記耐油性層にはポリプロピレン系樹脂、ポリエステル系樹脂、ポリメチルペンテン樹脂が好ましく、その厚さは適宜選定するが、通常１５〜３０μｍである。また、前記耐油剤としてはフッ素系耐油剤が使用され、前記接着性樹脂層としては、通常、低密度ポリエチレン樹脂が使用され、前記紙層としては、晒しクラフト紙、上質紙などが使用される。さらに、蓋部に使用する材料は、前記紙基材に用いた紙単体でも良いし、紙基材の片面に樹脂層を積層した積層材料でも良い。なお、前記バージン紙の
具体的商品としては、北越製紙（株）のＮＥＷタフアイボリー、富士製紙（株）のＳＩＥなどがあり、前記カード紙の具体的商品としては、三菱製紙（株）の坪量２６０〜４５０ｇ／ｍ2のパールカードなどがあり、前記カップ原紙の具体的商品としては、坪量２００〜４５０ｇ／ｍ2のＪＦカップ原紙があり、前記コートボール紙の具体的商品としては、王子製紙（株）の坪量２００〜４５０ｇ／ｍ2のＯＫストロングなどがあり、前記フッ素系耐油剤の具体的商品としては、アサヒガードＥ６０などがある。
【００１３】
本発明のテイクアウト用紙容器を、以下に具体的な実施例に従って説明するが、本発明がこれらの実施例に限定されるものではない。
【実施例１】
【００１４】
蓋部（２）の材料として、坪量２６０ｇ／ｍ2のバージン紙（北越製紙（株）、ＮＥＷタフアイボリ）を使用し、収納本体部（３）用の材料として、坪量２６０ｇ／ｍ2のバージン紙（北越製紙（株）、ＮＥＷタフアイボリ）からなる基材の片面に厚さ２５μｍのポリブチレンテレフタレート樹脂（日本ポリプラスチックス（株））を押出ラミネートした積層材料を使用して、図２（ａ）に示す形状の蓋部（２）用のブランク及び収納本体部（３）用として、図２（ｂ）に示す形状で、αが４０゜、βが５０゜で、γ及びδが９０゜であるブランクを打ち抜き、それぞれのブランクを用いて製函し、図１に示す形態の本発明のテイクアウト用紙容器を作成した。
【００１５】
以下に、本発明の比較用の実施例を説明する。
【実施例２】
【００１６】
蓋部の材料及び収納本体部の材料として実施例１と同一構成のものを用いて、図３（ａ）に示す形態の比較用のテイクアウト用紙容器を作成した。
【００１７】
〈評価〉
実施例１の本発明のテイクアウト用紙容器及び実施例２の比較用のテイクアウト用紙容器の折り畳み性及び高さ方向の耐圧強度を評価すると共に、それぞれのテイクアウト用紙容器の収納本体部に焼きそばを収納し、蓋部をかぶせた状態で、電子レンジで５００Ｗ、３分間加熱した後に室温に放置した状態で、四隅から油が漏れ出るかどうかを外観検査した。その結果を表１に示す。
【００１８】
【表１】
2008120453.tif 000003
【００１９】
表１に示すように、実施例１の本発明のテイクアウト用紙容器は、折り畳み性も良好で、高さ方向の耐圧強度も強く、さらに、焼きそばを充填し、電子レンジ加熱した後の紙容器の四隅から油が漏れ出ることはなかった。一方、実施例２の比較用のテイクアウト用紙容器は、折り畳み性は略良好であるが、高さ方向の耐圧強度が小さく、さらに、焼きそばを充填し、電子レンジ加熱した後の紙容器の四隅から油が漏れ出ていた。
【図面の簡単な説明】
【００２０】
【図１】本発明のテイクアウト用紙容器の一実施形態を示す斜視図である。
【図２】（ａ）は本発明のテイクアウト用紙容器の蓋部に使用するブランクの一実施形態を示す平面図であり、（ｂ）はテイクアウト用紙容器の収納本体部に使用するブランクの一実施形態を示す平面図である。
【図３】（ａ）は従来のツーピース形態のテイクアウト用紙容器の斜視図であり、（ｂ）はそのテイクアウト用紙容器の収納本体部に使用するブランクの平面図である。
【符号の説明】
【００２１】
１，１′…テイクアウト用紙容器
２，２′…蓋部
３，３′…収納本体部
１０…ブランク
１１…天面板
１２，１３…側面板
２０…ブランク
２１…底面板
２２，２３…側面板Ａ
２４，２５…側面板Ｂ
２６，２７…フラップ
２８，２９，３０，３１…舌片Ａ
３２，３３，３４、３５…舌片Ｂ
４０，４１，４２，４３，４４，４５…罫線
４６，４７，４８，４９…斜め罫線
５０，５１，５２，５３，５４，５５，５６，５７，５８，５９…罫線
６０…ブランク
６１…底面板
６２，６３，６４，６５…側面板
６６，６７，６８，６９…舌片
７０，７１，７２，７３…罫線
８０，８１，８２，８３…折り畳み用罫線
【図１】
2008120453.tif 000004
【図２】
2008120453.tif 000005
【図３】
2008120453.tif 000006